(57)【要約】　　　（修正有）【課題】操作部の操作に応じて接点部の接点の開／閉が確実に切り替わるようにすることで、信頼性及び安全性を高める。【解決手段】接点２０及び接点開閉用のアクチュエータ２２を有する接点部２と、その接点部２の接点２０を開閉操作するためのアクチュエータ１２及び押ボタン１３を有する操作部１を備えた押ボタンスイッチにおいて、操作部１のアクチュエータ１２と接点部２のアクチュエータ２とを、例えばガイド溝１２ａと係合ピン２２ａとを用いて相互に係合することにより、接点部２の接点２０の復帰ばね１４の弾性力に関係なく、操作部１アクチュエータ１２の動作に連動して接点２０の開／閉が強制的に切り替わるようにする。【選択図】図１
2004055434.tif 000002
【特許請求の範囲】
【請求項１】
接点及び接点開閉用のアクチュエータを有する接点部と、その接点部の接点を開閉操作するためのアクチュエータ及び押ボタンを有する操作部とを備えた押ボタンスイッチにおいて、前記操作部のアクチュエータと前記接点部のアクチュエータとが相互に係合しており、その操作部のアクチュエータの動作に連動して前記接点部の接点が強制的に開閉制御されるように構成されていることを特徴とする押ボタンスイッチ。
【請求項２】
前記操作部のアクチュエータの操作方向に対して前記接点部のアクチュエータの操作方向が交差するように前記接点部が配置されていることを特徴とする請求項１記載の押ボタンスイッチ。
【請求項３】
前記操作部のアクチュエータにガイド溝が形成されており、そのガイド溝に係合する係合凸部が前記接点部のアクチュエータに形成されているとともに、前記ガイド溝は、前記操作部のアクチュエータの動きに連動して前記接点部の接点の開／閉が切り替わるように、前記接点部のアクチュエータに変位を与える形状に成形されていることを特徴とする請求項１または２記載の押ボタンスイッチ。
【請求項４】
前記操作部のアクチュエータにガイド片が形成されており、そのガイド片に係合する係合凹部が前記接点部のアクチュエータに形成されているとともに、前記ガイド片は、前記操作部のアクチュエータの動きに連動して前記接点部の接点の開／閉が切り替わるように、前記接点部のアクチュエータに変位を与える形状に成形されていることを特徴とする請求項１または２記載の押ボタンスイッチ。
【発明の詳細な説明】
【０００１】
【発明の属する技術分野】
本発明は、押ボタンスイッチに関し、特に非常停止用に好適な押ボタンスイッチに関する。
【０００２】
【従来の技術】
従来、例えば工作機械の制御パネルには、安全装置として非常停止用の押ボタンスイッチが配設されており、非常時にその押ボタンスイッチを押込操作することにより、機械の主回路への電源供給を遮断して動作を停止できるようになっている。非常停止用の押ボタンスイッチの一例を図１２及び図１３を参照しながら説明する。
【０００３】
図１２及び図１３に示す押ボタンスイッチは操作部３０１と接点部３０２によって構成されている。
【０００４】
操作部３０１は、円筒状の操作部本体３１１と、操作部本体３１１内に摺動自在に設けられた操作軸３１２を備えている。操作軸３１２は復帰ばね３１４により前方側に向けて付勢されており、この操作軸３１２の前端に押ボタン３１３が設けられている。接点部３０２にはＢ接点３２０が内蔵されており、そのＢ接点３２０のホルダ（接点開閉用のアクチュエータ）３２２が、操作部３０１の操作軸３１２の先端に当接している。
【０００５】
以上の構造の押ボタンスイッチにおいて、図１２の状態（押し込み前の状態）から操作部３０１の操作ボタン３１３を押すと、操作軸３１２にてホルダ３２２が押されて、接点部３０２に内蔵のＢ接点３２０が開離してＯＦＦ状態となるとともに、操作軸３１２の係止爪３１２ｂに操作部本体３１１内のロック片３１５が係合して操作軸３１２が押込位置にロックされ、Ｂ接点３２０の開離状態が維持される（図１３）。
【０００６】
また、このようなロック状態から、押ボタン３１３及び操作軸３１２を操作部３０１の中心を軸として回転すると、係止爪３１２ｂとロック片３１５との係合が解除され（操作軸３１２のロック解除）、操作部３０１の復帰ばね３１４の弾性力により、操作軸３１２及び押ボタン３１３が元の位置（押し込み前の位置）に復帰するとともに、Ｂ接点３２０が復帰ばね３２３の弾性力にてＯＮ状態に復帰する。
【０００７】
【発明が解決しようとする課題】
ところで、前記した構造の押ボタンスイッチによれば、接点部３０２のホルダ３２２が操作部３０１の操作軸３１２の先端に当接しているだけであるので、例えば、押ボタン３１３が押された後に、操作部３０１の故障等によりロック状態の操作軸３１２が復帰側に移動した場合、あるいは、何らかの原因により接点部３０２が操作部３０１から脱落した場合には、接点部３０２の復帰ばね３２３の弾性力により、Ｂ接点３２０がＯＮ状態となり、工作機械などへの電源供給が可能な状況となるので危険である。
【０００８】
また、接点部３０２に内蔵の接点がＡ接点である場合、例えば、接点に過大な電流が流れて接点が溶着し、その溶着力が接点部３０２の復帰ばね３２３の弾性力よりも大きい場合には、操作軸３１２が復帰側（接点開離側）に移動しても、Ａ接点が開離しないという不具合が生じる。
【０００９】
本発明はそのような実情に鑑みてなされたもので、操作部の操作に応じて接点部の接点の開／閉が確実に切り替わる構造の押ボタンスイッチを提供することを目的とする。
【００１０】
【課題を解決するための手段】
本発明の押ボタンスイッチは、接点及び接点開閉用のアクチュエータを有する接点部と、その接点部の接点を開閉操作するためのアクチュエータ及び押ボタンを有する操作部を備えた押ボタンスイッチにおいて、前記操作部のアクチュエータと前記接点部のアクチュエータとが相互に係合しており、その操作部のアクチュエータの動作に連動して前記接点部の接点が強制的に開閉制御されるように構成されていることによって特徴づけられる。
【００１１】
本発明の押ボタンスイッチによれば、操作部のアクチュエータの動作に連動して接点部のアクチュエータが動いて接点が強制的に開閉されるので、操作部を操作したのにも関わらず、接点の開／閉が切り替わらないといった不具合がなくなり、確実な接点の開閉制御が可能になる。
【００１２】
また、接点部にＢ接点を使用している場合、Ｂ接点の復帰ばねの弾性力に関係なく、Ｂ接点を強制的に開閉制御することができる。また、何らかの理由によって接点部が操作部から脱落するという事態などが発生しても、Ｂ接点を開離状態に保持することが可能になる。
【００１３】
本発明の押ボタンスイッチにおいて、操作部のアクチュエータの操作方向に対して接点部のアクチュエータの操作方向が交差（例えば直交）するように接点部を配置してもよい。このような構造を採用すれば、操作部のアクチュエータと接点部のアクチュエータとを同軸（直列）に配置した場合と比較して、スイッチ奥行き方向の寸法を短くすることができる。
【００１４】
本発明の押ボタンスイッチのより具体的な形態として、操作部のアクチュエータにガイド溝を形成し、そのガイド溝に係合する係合凸部を接点部のアクチュエータに形成するとともに、前記ガイド溝の形状を、操作部のアクチュエータの動きに連動して接点部の接点の開／閉が切り替わるように、接点部のアクチュエータに変位を与える形状にするという構成を挙げることができる。
【００１５】
また、他の形態として、操作部のアクチュエータにガイド片を形成し、そのガイド片に係合する係合凹部を接点部のアクチュエータに形成するとともに、前記ガイド片の形状を、操作部のアクチュエータの動きに連動して接点部の接点の開／閉が切り替わるように、接点部のアクチュエータに変位を与える形状にするという構成を挙げることができる。
【００１６】
【発明の実施の形態】
以下、本発明の実施形態を図面に基づいて説明する。
【００１７】
図１及び図２はそれぞれ本発明の押ボタンスイッチの実施形態の構造を示す断面図である。図３はその実施形態に用いる操作部アクチュエータの要部構造を示す斜視図である。図４は同じく実施形態に用いるＢ接点及び接点部アクチュエータのみを抽出して示す斜視図である。
【００１８】
なお、図１は押ボタンの押し込み前の状態を示し、図２は押ボタンの押し込み状態を示している。また、図１（Ｂ）は同図（Ａ）のＶ−Ｖ断面図であり、図２（Ｂ）は同図（Ａ）のＷ−Ｗ断面図である。
【００１９】
本実施形態の押ボタンスイッチは、プッシュロックターンリセット式の非常停止スイッチであって、操作部１及び接点部２を備えている。接点部２には、接点部アクチュエータ２２を有するＢ接点２０が内蔵されている。
【００２０】
操作部１は、円筒形状の操作部本体１１、操作部アクチュエータ（操作軸）１２及び押ボタン１３を備えている。操作部アクチュエータ１２は、操作部本体１１内に摺動自在に嵌め込まれており、この操作部アクチュエータ１２の前端に押ボタン１３が設けられている。なお、操作部アクチュエータ１２（後述するアクチュエータ本体１２５）は、押ボタン１３を回転操作したときに、それに伴って回転するようになっている。
【００２１】
操作部アクチュエータ１２には係止爪１２ｂ及びフランジ１２ｃが設けられている。操作部アクチュエータ１２のフランジ１２ｃと操作部本体１１内の係止段部１１ａとの間に復帰ばね（コイルばね）１４が配置されており、その復帰ばね１４の弾性力にて操作部アクチュエータ１２が前方側に向けて付勢されている。なお、図１に示す状態（押し込み前の状態）では、操作部アクチュエータ１２の係止爪１２ｂが操作部本体１１内の係止段部１１ａに当たっており、操作部アクチュエータ１２の前方側への移動が規制されている。
【００２２】
操作部本体１１の内部にロック片１５が設けられている。ロック片１５は、操作部本体１１の軸方向（操作方向）と直交する方向に変位が可能であり、係止段部１１ａの後方に配置されている。ロック片１５と操作部本体１１の内面との間には、ロック片１５を操作部本体１１の中心に向けて押圧する押圧ばね（コイルばね）１６が配置されている。
【００２３】
そして、ロック片１５は、操作部アクチュエータ１２が図１の位置から接点部２側に向けて押されたときに、操作部アクチュエータ１２の係止爪１２ｂにて外方に押され、その係止爪１２ｂを乗り越えた後に、係止爪１２ｂの前端面に当接（係止）して操作部アクチュエータ１２の動きをロックする（図２）。
【００２４】
また、このようなロック状態から、押ボタン１３の操作により、操作部アクチュエータ１２を操作部１の中心を軸として回転すると、係止爪１２ｂとロック片１５との係合が解除され（操作部アクチュエータ１２のロック解除）、操作部１の復帰ばね１４の弾性力により、操作部アクチュエータ１２及び押ボタン１３が元の位置（図１の押し込み前の位置）に復帰する。
【００２５】
次に、本実施形態の特徴部分について説明する。
【００２６】
まず、操作部アクチュエータ１２の先端部に四角柱形状のガイド部１２６が設けられている。ガイド部１２６には、図３に示すように、円形の係合フランジ１２６ａが一体形成されている。係合フランジ１２６ａは、アクチュエータ本体１２５の係合溝１２５ａに嵌め込まれており、これら係合フランジ１２６ａと係合溝１２５ａとの係合により、アクチュエータ本体１２５の前後方向の移動（軸方向の移動）に連動してガイド部１２６が移動する。また、アクチュエータ本体１２５はガイド部１２６に対し、操作部アクチュエータ１２の軸心を中心として回転自在となっており、アクチュエータ本体１２５のみを単独で回転操作することができる。なお、ガイド部１２６の回転（操作部アクチュエータ１２の軸心を中心として回転）は規制部材（図示せず）によって規制されている。
【００２７】
操作部アクチュエータ１２のガイド部１２６の側面にガイド溝１２ａが形成されている。ガイド溝１２ａは、操作部アクチュエータ１２の先端から、図中斜め上方に傾斜する傾斜部Ｃ１、第１平行部Ｃ２、下方に傾斜する傾斜部Ｃ３及び第２平行部Ｃ４が順次連なる形状に加工されている。第１平行部Ｃ２と第２平行部Ｃ４との間の距離（変位量）は、Ｂ接点２０の可動片２１の変位量に相当する距離に設定されている。
【００２８】
一方、接点部２のＢ接点２０は、接点部２を操作部１に装着した状態で、接点部アクチュエータ２２の操作方向が操作部アクチュエータ１２の操作方向と直交するように配置されている。
【００２９】
接点部アクチュエータ２２の先端には、操作部アクチュエータ１２のガイド溝１２ａに係合する係合ピン２２ａが設けられている。また、接点部アクチュエータ２２には、ばね収容部２２ｂ及び可動片収容部２２ｃが設けられている。ばね収容部２２ｂ及び可動片収容部２２ｃはそれぞれ接点部アクチュエータ２２を貫通する貫通穴である。
【００３０】
ばね収容部２２ｂの内部には、接点部２に固定配置された固定片２ａが挿入配置されており、その固定片２ａとばね収容部２２ｂの内面（可動片２１側の面）との間にコイルばね２３が配置されている。
【００３１】
可動片収容部２２ｃには、Ｂ接点２０の可動片２１が両端を外方に突き出した状態で配置されている。可動片２１はコイルばね２４を介して接点部アクチュエータ２２に保持されている。
【００３２】
以上の構造のＢ接点２０において、接点部アクチュエータ２２に外力が作用してないときには、ばね収容部２２ｂに配置されたコイルばね２３によってＢ接点２０が開離した状態が保持され、この開離状態から接点部アクチュエータ２２が操作方向（図４の矢印の方向）に移動するとＢ接点２０が閉じてＯＮの状態になる。また、ＯＮ状態から接点部アクチュエータ２２が逆向きに移動するとＢ接点２０が開離してＯＦＦ状態となる。
【００３３】
次に、本実施形態の作用を図１〜図５を参照しながら説明する。
【００３４】
まず、図５に示すように、接点部２を操作部１に装着していない状態では、接点部アクチュエータ２２はフリーな状態であり、接点部２のＢ接点２０は常に開離された状態（ＯＦＦ状態）が維持される。従って、接点部２に配線接続を行って通電可能状態としても、安全上の問題は発生しない。
【００３５】
次に、接点部アクチュエータ２２の係合ピン２２ａを操作部アクチュエータ１２のガイド溝１２ａの入口に合わせた状態で操作部１に装着すると、その装着過程において、係合ピン２２ａがガイド溝１２ａの傾斜部Ｃ１で押されて、接点部アクチュエータ２２がＢ接点２０を閉じる向きに動き、操作部１への接点部２の装着が完了した時点で、係合ピン２２ａがガイド溝１２ａの第１平行部Ｃ２に位置してＢ接点２０がＯＮ状態になる（図１）。
【００３６】
そして、図１に示す状態から押ボタン１３を押すと、その押し込み過程において、接点部アクチュエータ２２の係合ピン２２ａがガイド溝１２ａの傾斜部Ｃ３で押されて、接点部アクチュエータ２２がＢ接点２０を開離する向きに動き、操作部アクチュエータ１２がロック片１５にてロックされる位置（押し込み完了位置）まで達した時点で、係合ピン２２ａがガイド溝１２ａの第２平行部Ｃ４に位置してＢ接点２０がＯＦＦ状態に維持される（図２）。
【００３７】
また、図２の状態から、アクチュエータ本体１２５を操作部１の中心を軸として回転すると、操作部アクチュエータ１２のロックが解除されるとともに、操作部１の復帰ばね１４の弾性力により、操作部アクチュエータ１２が元の位置に復帰し、この操作部アクチュエータ１２の動作に連動して接点部アクチュエータ２２が動いてＢ接点２０がＯＮ状態に復帰する。
【００３８】
このように、本実施形態においては、操作部１の操作部アクチュエータ１２の動作に連動して、接点部２の接点部アクチュエータ２２が動いてＢ接点２０が強制的に開閉制御されるので、操作部１を操作したのにも関わらず、Ｂ接点２０が切り替わらないというような不具合がなくなり、切替動作の信頼性を高めることができる。しかも、何らかの理由により、操作部１から接点部２が脱落した場合には、図５に示すように、接点部アクチュエータ２２がフリーな状態となり、コイルばね２３によってＢ接点２０が開離した状態が維持されるので、安全面の問題もない。
【００３９】
また、本実施形態では、操作部アクチュエータ１２の操作方向に対して接点部アクチュエータ２２の操作方向が直交するようにＢ接点２０を接点部２内に配置しているので、それら２つのアクチュエータを同軸（直列）に配置した場合（図１０参照）と比較して、スイッチ奥行き方向の寸法を短くすることができる。
【００４０】
さらに、図５に示すように、接点部２を操作部１に装着する際に、接点部アクチュエータ２２の係合ピン２２ａを操作部アクチュエータ１２のガイド溝１２ａに挿入するだけで、操作部アクチュエータ１２と接点部アクチュエータ２２とを相互に連結することができるので、アクチュエータの接続作業を簡単に行うことができるという利点もある。
【００４１】
図６及び図７は本発明の他の実施形態の要部構造を示す図である。図８はその実施形態に用いるＢ接点及び接点部アクチュエータのみを抽出して示す斜視図である。なお、図６（Ｂ）は同図（Ａ）のＸ−Ｘ断面図であり、図７（Ｂ）は同図（Ａ）のＹ−Ｙ断面図である。
【００４２】
この実施形態においては、操作部アクチュエータ１１２にガイド片１１２ａを設け、接点部アクチュエータ１２２に係合凹部１２２ａを設けたところに特徴がある。それ以外の構成は図１及び図２に示した実施形態と同じである。
【００４３】
まず、この実施形態では、操作部アクチュエータ１１２の先端部分（四角柱部分）の側面にガイド片１１２ａが形成されている。ガイド片１１２ａは、操作部アクチュエータ１１２の先端から、図中斜め上方に傾斜する傾斜部Ｄ１、第１平行部Ｄ２、下方に傾斜する傾斜部Ｄ３及び第２平行部Ｄ４が順次連なる形状に加工されている。第１平行部Ｄ２と第２平行部Ｄ４との間の距離（変位量）は、Ｂ接点１２０の可動片１２１の変位量に相当する距離に設定されている。
【００４４】
一方、接点部アクチュエータ１２２には、図８に示すように、円筒形状の凸部１２２ｂが先端に一体形成されている。また、凸部１２２ｂと所定の間隔をあけた半円形状の円筒面１２２ｃが形成されており、その凸部１２２ｂと円筒面１２２ｃとの間が、操作部アクチュエータ１１２のガイド片１１２ａに係合する係合凹部１２２ａとなっている。
【００４５】
この実施形態の作用を図６〜図８を参照しながら説明する。
【００４６】
まず、この実施形態においては、前記した実施形態と同様に、接点部を操作部（いずれも図示せず）に装着していない状態のときに（図５参照）、接点部アクチュエータ１２２はフリーな状態であり、Ｂ接点１２０は常に開離された状態（ＯＦＦ状態）が維持される。従って、接点部に配線接続を行って通電可能状態としても、安全上の問題は発生しない。
【００４７】
次に、接点部を操作部に装着すると、その装着過程において、接点部アクチュエータ１２２が操作部アクチュエータ１１２のガイド片１１２ａの傾斜部Ｄ１で押されて、接点部アクチュエータ１２２がＢ接点１２０を閉じる向きに動き、操作部への接点部の装着が完了した時点で、係合凹部１２２ａがガイド片１１２ａの第１平行部Ｄ２に位置してＢ接点１２０がＯＮ状態になる（図６）。
【００４８】
そして、図６に示す状態から押ボタン（図示せず）を押すと、その押し込み過程において、接点部アクチュエータ１２２がガイド片１１２ａの傾斜部Ｄ３で押されて、接点部アクチュエータ１２２がＢ接点１２０を開離する向きに動き、操作部アクチュエータ１１２がロックされる位置（押し込み完了位置）まで達した時点で、係合凹部１２２ａがガイド片１１２ａの第２平行部Ｄ４に位置してＢ接点１２０がＯＦＦ状態に維持される（図７）。
【００４９】
また、図７の状態から、アクチュエータ本体１２５（図１及び図２参照）を操作部の中心を軸として回転すると、操作部アクチュエータ１１２のロックが解除されるとともに、操作部の復帰ばね１４（図１及び図２参照）の弾性力により、操作部アクチュエータ１１２が元の位置に復帰し、この操作部アクチュエータ１１２の動作に連動して、接点部アクチュエータ１２２が動いてＢ接点１２０がＯＮ状態に復帰する。
【００５０】
以上のように、この実施形態においても、操作部アクチュエータ１１２の動作に連動して、接点部アクチュエータ１２２が動いてＢ接点１２０が強制的に開閉制御されるので、操作部を操作したのにも関わらず、Ｂ接点１２０が切り替わらないというような不具合がなくなり、切替動作の信頼性を高めることができる。しかも、何らかの理由により、操作部から接点部が脱落した場合には、接点部アクチュエータ１２２がフリーな状態となり、コイルばね１２３によってＢ接点１２０が開離した状態が維持されるので安全面の問題もない。
【００５１】
また、接点部を操作部に装着する際に、接点部アクチュエータ１２２の係合凹部１２２ａに操作部アクチュエータ１１２のガイド片１１２ａを挿入するだけで、操作部アクチュエータ１１２と接点部アクチュエータ１２２とを相互に連結することができるので、アクチュエータの接続作業を簡単に行うことができるという利点もある。
【００５２】
ここで、以上の各実施形態では、操作部アクチュエータの側方の片側のみにＢ接点を設けているが、本発明はこれに限られることなく、例えば図９に示すように、操作部アクチュエータ１２の側方両側にＢ接点２０を設けてもよい。さらに、操作部アクチュエータの軸方向（操作方向）に沿って複数のＢ接点を連設してもよい。
【００５３】
また、操作部アクチュエータの軸方向に複数のＢ接点を配置する場合、その接点の数、及び操作部アクチュエータのガイド溝１２ａまたはガイド片１１２ａの形状等を工夫することにより、例えば、操作部アクチュエータの押し込み量に応じて開閉制御を行うＢ接点を順次変更する、というようなキー機能を押ボタンスイッチにもたせることもできる。
【００５４】
以上の実施形態では、操作部アクチュエータの操作方向に対して接点部アクチュエータの操作方向が直交する構造の押ボタンスイッチについて説明したが、本発明はこれに限られることなく、操作部アクチュエータの操作方向と接点部アクチュエータの操作方向が同軸である押ボタンスイッチにも適用できる。その具体的な実施形態を図１０及び図１１を参照しながら説明する。
【００５５】
この例の押ボタンスイッチは、プッシュロックターンリセット式の非常停止スイッチであって、図１及び図２の実施形態と同様に、操作部２０１及び接点部２０２を備えている。
【００５６】
操作部２０１の構造は、前記した図１及び図２の実施形態と基本的には同じ構造であるが、操作部アクチュエータ２１２の先端部分の構造が異なる。すなわち、この例の操作部アクチュエータ２１２の先端部には、ガイド部に替えて連結部２２６が設けられている。連結部２２６の先端には、係合爪２１２ａが設けられている。
【００５７】
連結部２２６は、図３と同じ構造でアクチュエータ本体２２５に係合されており、アクチュエータ本体２２５の前後方向の移動（軸方向の移動）に連動して連結部２２６が移動する。また、アクチュエータ本体２２５と連結部２２６とは回転自在に係合されており、アクチュエータ本体２２５のみを単独で回転操作することができる。なお、連結部２２６の回転（操作部アクチュエータ２１２の軸心を中心として回転）は規制部材（図示せず）によって規制されている。
【００５８】
接点部２０２には、接点部アクチュエータ２２２を有するＢ接点２０が内蔵されている。接点部２０２のＢ接点２２０は、接点部２０２を操作部２０１に装着した状態で、接点部アクチュエータ２２２の操作方向が操作部アクチュエータ２１２の操作方向と同軸になるように配置されている。
【００５９】
Ｂ接点２２０は、主要部の構造が図４と同じであり、接点部アクチュエータ２２２の先端部の構造のみが異なる。すなわち、この例のＢ接点２２０では、接点部アクチュエータ２２２の先端部に係合爪２２２ａが設けられており、この係合爪２２２ａと操作部アクチュエータ２１２の係合爪２１２ａとが相互に係合している。
【００６０】
そして、この実施形態において、図１０に示す状態から押ボタン１３を押すと、これに連動して接点部アクチュエータ２２２がＢ接点２２０を開離する向きに動いてＢ接点２２０がＯＦＦ状態となり、操作部アクチュエータ２１２がロックされる位置（押し込み完了位置）まで達した時点で、Ｂ接点２２０のＯＦＦ状態が維持される（図１１）。
【００６１】
また、図１１の状態から、アクチュエータ本体２２５を操作部２０２の中心を軸として回転すると、操作部アクチュエータ２１２のロックが解除されるとともに、操作部２０２の復帰ばね１４の弾性力により、操作部アクチュエータ２１２が元の位置に復帰し、この操作部アクチュエータ２１２の動作に連動して、接点部アクチュエータ２２２が動いてＢ接点２２０がＯＮ状態に復帰する。
【００６２】
以上のように、この実施形態においても、操作部アクチュエータ２１２の動作に連動して、接点部アクチュエータ２２２が動いてＢ接点２２０が強制的に開閉制御されるので、操作部２０１を操作したのにも関わらず、Ｂ接点２２０が切り替わらないというような不具合がなくなり、切替動作の信頼性を高めることができる。
【００６３】
以上の各実施形態では、接点部にＢ接点を設けた例を示したが、本発明はこれに限られることなく、接点部にＡ接点（常時開）を設けておいてもよい。また、１つの押ボタンスイッチに複数の接点を設ける場合、全ての接点をＡ接点またはＢ接点としてもよいし、Ａ接点とＢ接点を組み合わせた構成としてもよい。
【００６４】
以上の各実施形態では、操作部アクチュエータの先端部分を四角柱としているが、これに替えて、操作部アクチュエータの先端部分を円筒形状とし、その外周面にガイド溝またはガイド片を設けるという構成を採用してもよい。
【００６５】
【発明の効果】
以上説明したように、本発明によれば、接点及び接点開閉用のアクチュエータを有する接点部と、その接点部の接点を開閉操作するためのアクチュエータ及び押ボタンを有する操作部を備えた押ボタンスイッチにおいて、操作部のアクチュエータと接点部のアクチュエータとを相互に係合して、操作部のアクチュエータの動作に連動して接点部の接点が強制的に開閉制御されるように構成しているので、接点部の接点の復帰ばねの弾性力に関係なく、接点の開／閉の切り替えを確実に制御することができる。
【図面の簡単な説明】
【図１】本発明の実施形態の断面図である。
【図２】同じく実施形態の断面図である。
【図３】本発明の実施形態に用いる操作部アクチュエータの要部構造を示す斜視図である。
【図４】本発明の実施形態に用いるＢ接点及びアクチュエータのみを抽出して示す斜視図である。
【図５】本発明の実施実施形態の作用説明図である。
【図６】本発明の他の実施形態の要部構造を示す図である。
【図７】同じく他の実施形態の要部構造を示す図である。
【図８】本発明の他の実施形態に用いるＢ接点及びアクチュエータのみを抽出して示す斜視図である。
【図９】本発明の別の実施形態の説明図である。
【図１０】本発明の更に別の実施形態の断面図である。
【図１１】同じく更に別の実施形態の断面図である。
【図１２】従来の押ボタンスイッチの一例を示す断面図である。
【図１３】同じく従来の押ボタンスイッチの一例を示す断面図である。
【符号の説明】
１　操作部
１１　操作部本体
１１ａ　係止段部
１２　操作部アクチュエータ
１２ａ　ガイド溝
１２ｂ　係止爪
１２ｃ　フランジ
１３　押ボタン
１４　復帰ばね
１５　ロック片
１６　押圧ばね
２　接点部
２ａ　固定片
２０　Ｂ接点
２１　可動片
２２　接点部アクチュエータ
２２ａ　係合ピン
２２ｂ　ばね収容部
２２ｃ　可動片収容部
２３　コイルばね
１１２　操作部アクチュエータ
１１２ａ　ガイド片
１２０　Ｂ接点
１２１　可動片
１２２　接点部アクチュエータ
１２２ａ　係合凹部
１２３　コイルばね
２０１　操作部
２１２　操作部アクチュエータ
２０２　接点部
２２０　Ｂ接点
２２２　接点部アクチュエータ
【図１】
2004055434.tif 000003
【図２】
2004055434.tif 000004
【図３】
2004055434.tif 000005
【図４】
2004055434.tif 000006
【図５】
2004055434.tif 000007
【図６】
2004055434.tif 000008
【図７】
2004055434.tif 000009
【図８】
2004055434.tif 000010
【図９】
2004055434.tif 000011
【図１０】
2004055434.tif 000012
【図１１】
2004055434.tif 000013
【図１２】
2004055434.tif 000014
【図１３】
2004055434.tif 000015